(57)【要約】  本発明は、タイヤ機能が制限された運転操作を可能にする車輪（１）用のアタッチメント（１４）、および車輪（１）のアタッチメント（１４）およびリム（２）を含むシステムに関する。【選択図】図５
2021512015.tif 000002
【特許請求の範囲】
【請求項１】
タイヤ機能が制限された運転操作を可能にするためのリムを含む車輪用のアタッチメントであって、
前記アタッチメントは、前記アタッチメントのトレッドを含むトレッド部分を有し、前記アタッチメントは、少なくとも１つのクランプ装置を含み、前記少なくとも１つのクランプ装置は、前記リムの部分、好ましくはリムフランジの後ろに係合するように設計され、前記アタッチメントは、初期装着部を含み、前記トレッド部分の少なくとも一部は、前記初期装着部とは別個に設計され、取り外し可能にこれに接続可能であるか、または前記初期装着部に移動可能に接続されるように設計され、前記初期装着部は、前記アタッチメントが前記車輪に固定されたときに、前記トレッドから半径方向内側に配置されるように設計されている、アタッチメント。
【請求項２】
前記クランプ装置が、前記トレッド部分に配置されることを特徴とする請求項１に記載のアタッチメント。
【請求項３】
前記クランプ装置が、前記初期装着部に配置されることを特徴とする請求項１または２に記載のアタッチメント。
【請求項４】
周方向で見た前記トレッド部分が、それぞれトレッドの円周の一部を構成する少なくとも２つの部分を有し、前記少なくとも２つの部分はそれぞれ前記トレッドの周囲の一部であり、互いに分離可能であるか、または互いに対して旋回可能または変位可能であることを特徴とする請求項１〜３のいずれか一項に記載のアタッチメント。
【請求項５】
前記アタッチメントは、接触部分を備え、前記接触部分が作動されるときに、特に力が作用されるときに、前記クランプ装置を作動させ、それをリムの部分、好ましくはリムフランジに後方係合させるように設計され、好ましくは、前記接触部分は、前記アタッチメントが前記車輪に固定されたときに、前記アタッチメントの前記車輪に面する側に配置されることを特徴とする請求項１〜４のいずれか一項に記載のアタッチメント。
【請求項６】
前記トレッド部分が、正確には２つの周方向部分を備えるように設計され、特に前記２つの周方向部分は両方とも１８０°の周方向延長部を有し、好ましくは、前記２つの周方向部分は、構造が実質的に同一であるように設計され、好ましくは、前記２つの周方向部分は、同一のベース要素を有し、好ましくは、前記ベース要素は、鋳造品として設計され、好ましくは、２つのクランプ装置が前記２つの周方向部分のそれぞれに正確に配置され、前記２つのクランプ装置はそれぞれ旋回可能なフック要素を備えることを特徴とする請求項１〜５のいずれか一項に記載のアタッチメント。
【請求項７】
前記クランプ装置はプレハブ部品として設計され、好ましくは、前記プレハブ部品は、前記周方向部分の前記ベース要素に、好ましくはねじ止めされて取り付けられ、好ましくは、前記接触要素は、前記プレハブ部品上に配置され、好ましくはこれにボルト締めされ、前記プレハブ部品によって間接的にのみ前記ベース要素に接続され、好ましくは、前記ロック機構は、前記プレハブ部品に配置され、好ましくは、前記ロック機構が、好ましくは、それが前記クランプ装置、特にそのフック要素をロックする状態において、それはケーシングに完全に挿入されるように実装されるラッチ要素を備え、前記ラッチ要素は、前記ラッチ要素が前記フック要素をロックしないときに、前記ケーシングから部分とともに突出し、好ましくは、前記ケーシングから突出している前記ラッチ要素の部分は、軸方向で見たときに、前記アタッチメントの前記車輪から離れた側から見ることができ、好ましくは、前記部分は信号色で実装されることを特徴とする請求項１〜６のいずれか一項に記載のアタッチメント。
【請求項８】
前記プレハブ部品は、前記接触部分を備える、好ましくは、前記プレハブ部品は、前記フック要素とは別個に設計された接触要素を備えることを特徴とする請求項７に記載のアタッチメント。
【請求項９】
前記接触部分は、前記トレッド部分上に配置され、前記トレッド部分が前記車輪に取り付けられたときに、それが前記車輪、特に車輪のリムまたは前記初期装着部に接触し、この接触によって作動されるように設計および配置されるか、または、前記接触部分は、前記初期装着部上に配置され、前記初期装着部が前記車輪に取り付けられたときに、それが前記車輪、特に前記車輪のリムに接触し、この接触によって作動されるように設計および配置されることを特徴とする請求項１〜８のいずれか一項に記載のアタッチメント。
【請求項１０】
前記クランプ装置は、後方グリップ部分を備えた枢動フック要素によって形成され、前記後方グリップ部分は、前記クランプ装置が前記リムフランジの後ろに係合しているときに、前記リムのリムフランジの後ろに係合し、好ましくは、前記後方グリップ部分に堅固に接続された、好ましくはこれと一体に形成された作動部分が前記フック要素に配置され、前記作動部分が、前記フック要素の枢動軸に関して半径方向内側に配置され、特に前記リムフランジの後ろに係合するための前記後方グリップ部分が前記フック要素の枢動軸に関して半径方向外側に配置されていることを特徴とする請求項１〜９のいずれか一項に記載のアタッチメント。
【請求項１１】
前記アタッチメントは、前記接触部分が配置される接触要素を備え、前記接触要素は、前記クランプ装置とは別個に設計され、かつ前記アタッチメント、特に前記トレッド部分において軸方向に変位可能または旋回可能に配置されることを特徴とする請求項１〜１０のいずれか一項に記載のアタッチメント。
【請求項１２】
前記アタッチメントは、前記クランプ装置、特にその枢動フック要素が前記リムフランジと後方係合しているときに、それをロックするように設計および配置されたロック機構を備え、好ましくは、前記ロック機構は、好ましくは予圧され、特にばねで予圧されたラッチ要素を備え、好ましくは、前記ラッチ要素は、前記フック要素の凹部に係合することによって前記フック要素をロックするように設計および配置されることを特徴とする請求項１〜１１のいずれか一項に記載のアタッチメント。
【請求項１３】
前記アタッチメントが前記車輪に取り付けられたときに、前記ロック機構が固定部分と道路に接触するように設計され、前記車輪が回転して、前記固定部分を作動させ、特に半径方向内側に向けられた力でそれに作用し、前記ロック機構は、前記固定要素が前記固定部分の作動時に固定位置に移動し、前記固定位置において確実に保持され、好ましくは、その位置からツールによってのみ解除することができ、前記固定要素は、前記クランプ装置を、前記固定位置において前記リムフランジとの後方係合位置に確実にロックすることを特徴とする請求項１２に記載のアタッチメント。
【請求項１４】
前記初期装着部は、軸方向に延びる少なくとも１つの、好ましくはピン状のガイド突起を備え、前記トレッド部分は、前記ガイド突起と相補的に設計された少なくとも１つのガイド開口部を備え、それにより、前記初期装着部がすでに車輪に取り付けられているときに、前記トレッド部分または前記トレッド部分の一部は、前記ガイド突起が前記ガイド開口部に係合し、前記初期装着部および前記車輪に対する前記トレッド部分の軸方向組立体の動きが前記ガイド開口部における前記ガイド突起の係合によって案内されるように、前記初期装着部上に配置することができる、請求項１〜１３のいずれか一項に記載のアタッチメント。
【請求項１５】
前記初期装着部は、それぞれが少なくとも１つのガイド突起を有する、半径方向外向きに延びるいくつかの支柱を備えることを特徴とする請求項１〜１４のいずれか一項に記載のアタッチメント。
【請求項１６】
前記トレッド部分は、固定装置を介して、特に取り外し可能に、前記初期装着部に固定することができ、好ましくは、前記固定装置は、前記トレッド部分が、前記リムに向かって軸方向に前記初期装着部に固定されたときに移動するように設計され、好ましくは、前記固定装置は、ねじ接続を含み、その締め付け時に、前記トレッド部分が前記初期装着部に向かって軸方向に移動し、好ましくは、前記固定装置は、少なくとも前記トレッド部分の軸方向の移動を、電気的に、および／または空気圧的に駆動される方法で、および／または予圧、特にバネによる予圧により、支持することを特徴とする請求項１５に記載のアタッチメント。
【請求項１７】
前記トレッド部分は、好ましくは半径方向に延在し、ギャップによって離間されたいくつかのスポーク状の支柱を含み、好ましくは、前記ギャップは、少なくとも半径に関して、前記支柱の周方向延長部よりも大きい、好ましくは少なくとも３倍大きい周方向延長部を有することを特徴とする請求項１〜１６のいずれか一項に記載のアタッチメント。
【請求項１８】
前記初期装着部は、把持装置の確実な後方係合および／または前記把持装置と好ましくは前記ボルトパターンの領域に配置された前記リムの円形の開口部との摩擦係合を介して前記車輪に固定されるように設計され、前記開口部は、前記リムにおいて、前記リムにホイールボルトまたは控えボルトを受け入れるように設けられた穴まで所定距離離間し、好ましくは、前記開口部は、前記リムの中央開口部であるか、または前記リムの回転軸まで所定距離離間し、好ましくは、前記把持装置の少なくとも一部は、前記初期装着部に取り外し不可能に接続されていることを特徴とする請求項１〜１７のいずれか一項に記載のアタッチメント。
【請求項１９】
前記把持装置は、好ましくはボルトパターンの領域で前記開口部の後ろに係合するように設計された拡張可能な部分を備え、および／または前記把持装置は、圧縮可能な部分を備え、前記圧縮可能な部分は、圧縮状態で前記ボルトパターンの領域の開口部を通って案内され、前記開口部を通って案内されたときに、非圧縮状態に拡張するように設計されている請求項１〜１８のいずれか一項に記載のアタッチメント。
【請求項２０】
前記初期装着部は、前記初期装着部がプラグイン要素および拡張要素によって前記車輪に取り付けられるように設計され、前記プラグイン要素は、前記開口部に導入され、第２のステップにおいて、前記拡張要素が、対応する作動機構を介して作動され、前記対応する作動機構は、確実な後方係合または摩擦係合によって前記プラグイン要素を前記開口部にしっかりと固定するために、前記初期装着部に配置され、かつ前記プラグイン要素に挿入されることを特徴とする請求項１〜１９のいずれか一項に記載のアタッチメント。
【請求項２１】
前記初期装着部は、好ましくは周方向に均一に分布して配置されたいくつかのクランプ装置を有し、好ましくは、前記初期装着部は、半径方向外向きに延びる支柱を有する横方向構造を有し、好ましくは、前記クランプ装置のうち少なくとも１つは、前記初期装着部上で半径方向に移動可能に、好ましくは半径方向に摺動可能に配置されていることを特徴とする請求項１〜２０のいずれか一項に記載のアタッチメント。
【請求項２２】
前記クランプ装置は、半径方向に互いに距離を置いて配置された異なる位置段階に固定することができ、前記段階は、前記アタッチメント、特に前記トレッド部分または前記初期装着部上で異なるリム直径に調整され、特に少なくとも１つのクランプ装置は、半径方向の位置段階において可動であり、好ましくは、摺動可能であるが、半径方向に互いに所定距離離間した位置段階よりも半径方向に近い位置段階において可動であり、好ましくは、摺動可能である、請求項１〜２１のいずれか一項に記載のアタッチメント。
【発明の詳細な説明】
【技術分野】
【０００１】
本発明は、請求項１の前文に記載の制限されたタイヤ機能で運転操作を可能にするための車輪用アタッチメントに関する。
【０００２】
本発明はまた、それとは独立して、車輪のアタッチメントおよびリムを備えるシステムに関する。
【背景技術】
【０００３】
本件での車輪は、自動車の車輪を意味する。ここで、制限されたタイヤ機能での運転操作とは、通常の道路状態および通常のタイヤ状態において、タイヤがそのその所定の特性で動作できない運転操作を意味する。これにより、例えば、タイヤがパンクした状態での走行は、氷上または積雪下での車両の操作を意味することもある。本発明の好ましい用途は、パンクしたタイヤでの走行を可能にすることである。
【０００４】
車輪に取り付けられたアタッチメントの場合、軸方向とは、ここでは車輪の回転軸の方向を意味する。半径方向とは、この車輪の回転軸に直交する方向を意味する。したがって、車輪のリムから見て、車輪のタイヤは、半径方向外側に配置される。半径方向内側には、例えば、車輪の中央開口部を備えた、リムのボルトパターンがある。ここで、車輪のボルトパターンは、ホイールボルトまたは控えボルトを受け入れるために提供されるリムの穴および中央開口部の配置を意味する。
【０００５】
周方向は、車輪の円周に沿った方向、つまりタイヤのトレッドに沿った方向を意味する。
【発明の概要】
【発明が解決しようとする課題】
【０００６】
本発明の目的は、容易に、迅速かつ確実に組み立てることができる車輪用のアタッチメントを提供することである。特に、アタッチメントは誤った組み立てを防止する必要がある。別の目的は、アタッチメントとリムとを備えるシステムを提供することであり、リムへのアタッチメントの簡単かつ確実な組み立てを可能にする。
【課題を解決するための手段】
【０００７】
この目的は、請求項１に記載のアタッチメントによって達成される。
【０００８】
したがって、本発明によるアタッチメントは、タイヤ機能が制限された運転操作を可能にする、リムを備える車輪用のアタッチメントであり、該アタッチメントは、アタッチメントのトレッドを備えるトレッド部分を有し、アタッチメントは、リムの部分、好ましくはリムフランジの後ろに係合するように設計された少なくとも１つのクランプ装置を含み、アタッチメントは、初期装着部を含み、トレッド部分の少なくとも一部は、初期装着部とは別に設計され、これに取り外し可能に接続できるように設計されるか、またはこれに対して移動可能に設計されており、初期装着部は、アタッチメントが車輪に固定されるときに、トレッドから半径方向内側に配置される。
【０００９】
アタッチメントは、好ましくは、初期装着部およびトレッド部分、したがってアタッチメントのトレッドを含むアタッチメントの一部が、分離され、互いに完全に取り外し可能であるように設計される。トレッド部分は、好ましくは、次に、少なくとも２つの周方向部分を含み、これらは互いに分離可能であり、それらが一緒になって、それらが円形トレッドを形成することができる。
【００１０】
クランプ装置は、ＤＩＮ  ７８１７に準拠して標準化されているリムフランジの輪郭と相補的に設計されていることが好ましい。自動車では、これは通常、ＤＩＮ  ７８１７のＪ形である。
【００１１】
アタッチメントは、好ましくは正確に２つの周方向部分を有するトレッド部分を有し、特に両方とも１８０°の周方向延長部を有し、特に実質的に同一の構造であり、好ましくは鋳造として形成される同一のベース要素を含む。正確には、それぞれが旋回可能なフック要素として設計されている２つのクランプ装置が、これら２つの周方向部分のそれぞれに配置されることが好ましい。フック要素のそれぞれは、好ましくは、少なくとも３０ｍｍ、好ましくは４０ｍｍ、特に５０ｍｍの周方向延長部を有する。
【００１２】
クランプ装置は、好ましくは、周方向部分のベース要素にねじ込まれるプレハブ部品として設計される。
【００１３】
上述のように、トレッド部分がいくつかの周方向部分、例えば前述の第１周方向部分および第２周方向部分を含む場合、好ましくは周方向部分を互いに接続してそれらが軸方向に互いに対して変位できないようにするために、それらの互いの接触面上に配置されるいると有利である。接続装置は、例えば、ばねを介して予め負荷され、一方の周方向部分に配置され、ばね負荷を有する接触面から周方向に突出する要素によって実装することができる。他方の周方向部分には、対応する凹部が配置されており、この凹部には、ばねで予圧された要素が係合する。
【００１４】
第１の周方向部分が初期装着部に取り付けられた後、第２の周方向部分は、例えば軸方向に押し付けられることができる。２つの接触面が互いに摺動すると、ばねで予圧された要素が周方向に最初の周方向部分に押し込まれ、２番目の周方向部分が押されたときに、ばねプリロード要素が２番目の周方向部分の凹部に係合する。提供された位置に完全に軸方向に。接続装置は、トレッド部分の２つの周方向部分を、互いに対する軸方向の２つの部分の変位に対して固定する。
【００１５】
接続装置は、好ましくは、概して１つの、特に予圧された要素を有し、これは、１つの周方向部分に移動可能に支持されて配置され、アタッチメントが車輪に固定されると別の周方向部分へ延びる。
【００１６】
クランプ装置のフック要素は、好ましくは弾性コーティングを有する。
【００１７】
初期装着部は、例えば、互いに接続され、半径方向外向きに延びる、好ましくは周方向に均一に分配された、例えば支柱（例えば、３つの支柱）の形で設計することができる。
【００１８】
初期装着部は、例えば、円形またはディスク形状の中央部分を用いて設計することもできる。半径方向外向きに延びる支柱は、好ましくはこの中央部分から外に延びる。
【００１９】
初期装着部は、トレッド部分の前に車輪に固定されるように設計されたアタッチメントの一部である。この場合、トレッド部分は初期装着部にすでに接続されている。アタッチメントを取り付ける際、最初に初期装着部が車輪に固定され、次にトレッド部分が固定されるか、または最終位置に移動して固定される。したがって、本発明に係るアタッチメントを用いると、初期装着部を最初に固定することが可能である。初期装着部は、ボルトパターンの領域でリムに固定されるように設計されることが好ましい。以下でさらに詳細に説明されるように、トレッド部分は、初期装着部から取り外し可能であるように設計され得る。アタッチメントは、好ましくは、初期装着部がトレッド部分なしで車輪に固定可能であり、初期装着部が車輪に固定された後、トレッド部分が初期装着部を備えた車輪に適用され、これに固定される。トレッド部分はまた、特に取り外しできないように、および移動可能におよび／または旋回可能に初期装着部に接続され得る。アタッチメントは、初期装着部を使用して、最初のステップで組み立て時に車輪のリムに固定できる。次に、必要に応じて、アタッチメント、特にトレッド部分を、好ましくは初期装着部および車輪または車輪のリムにさらに固定することができる。
【００２０】
初期装着部および／またはトレッド部分の固定は、好ましくは、それぞれの部分に配置されたクランプ装置によって可能である。特に、クランプ装置は、トレッド部分上に配置することができる。これにより、トレッド部分を車輪に特にしっかりと固定することができる。特に、クランプ装置は、初期装着部に配置することができる。これにより、初期装着部を特にしっかりと車輪に固定することができる。前述のタイプのクランプ装置が、トレッド部分と初期装着部の両方に配置されることも可能である。したがって、トレッド部分および初期装着部は、リムの部分、好ましくはリムフランジの後ろで係合するように設計されたクランプ装置を有することができる。
【００２１】
初期装着部に配置されているそのようなクランプ装置は、好ましくは、初期装着部に半径方向に移動可能に配置されるように実装される。クランプ装置については、以下でより詳細に説明する。
【００２２】
既に上述したように、トレッド部分が、周方向に見て、それぞれがトレッドの円周の一部を構成する少なくとも２つの部分を有する場合が好ましい。部分は、好ましくは、互いから取り外し可能であり、および／または互いに対して旋回可能および／または変位可能である。これにより、アタッチメントを車輪に特に簡単に取り付けることができる。最初に、初期装着部を車輪に固定できる。ここで、初期装着部は、トレッド部分の半径方向拡張部よりも小さい半径方向拡張部により、パンクしたタイヤでも簡単に車輪に組み付けることができる。これに続いて、トレッド部分の第１のセグメントを車輪または初期装着部および車輪に固定することができる。次に、その上に配置された初期装着部とトレッド部分の第１のセグメントとを備えた車輪を回転させて、車輪に既に配置されたトレッド部分のセグメントが道路に接触するようにすることができる。次に、トレッド部分の他のセグメントを車輪と初期装着部に適用して、固定することができる。次に、アタッチメントを完全に組み立てる。組み立ては、カージャッキやリフトプラットフォームがなくても、車輪を車両に取り付ければ簡単にできる。
【００２３】
特に、第１の周方向部分が、１８０°を超える、特に１９０°を超える周方向延長部を有する場合に有利である。１８０°を超える、または１９０°を超える第１の周方向部分の周方向延長部は、第１の周方向部分が周方向でアタッチメントの主要部分を形成し、それにより、車輪に安定かつしっかりと容易に固定できるという利点を有する。特に、第１の周方向部分は、円弧の形状に設計することができ、好ましくは弦のように走る支柱を備えることができる。これにより、特に高い安定性と、車輪へのアタッチメントの簡単な固定が提供される。第１の周方向部分および第２の周方向部分を備えたこの種のアタッチメントはまた、リムに面して配置される１つまたは複数の接触部分を備えることができる。
【００２４】
本発明の意味において、トレッド部分が１８０°の周方向延長部を有する２つの周方向部分を含むことも可能であり、それにより、周方向部分は実質的に同一の構造で実行でき、非常にコスト効率よく製造できる。
【００２５】
最終位置では、クランプ装置は、好ましくは、完全に、後方グリップ部分がリムフランジの内側に完全に静止する。クランプ装置のリムフランジに面する側のオプションのコーティング（ゴムコーティングなど）により、クランプ装置とリムフランジの間でプレス（コーティングが圧縮される）を行うことができる。これにより、加速およびブレーキ操作によって引き起こされる周方向の力を特にうまく吸収することができる。したがって、スペアホイールと車両リムとの間の相対的な動きを特に効率的に回避することができる。
【００２６】
クランプ装置は、好ましくは、リムフランジと接触するための、特にコーティングを備えた、摩擦を高めるおよび／または圧縮可能な接触面を有する。
【００２７】
アタッチメントは、好ましくは、接触部が作動するとき、特に力によって作用するとき、クランプ装置を作動させ、それをリムの部分、好ましくはリムフランジの後ろに係合させるように設計された接触部を含むことが好ましい。アタッチメントが車輪に固定されているとき、接触部は、好ましくは、アタッチメントの車輪に面する側に配置される。これにより、アタッチメントの安全な固定を簡単な方法で実現できる。特に、アタッチメントの車輪に面する側に接触部が配置されている場合、アタッチメントが車輪に固定され、接触部分上で力を加えることができる場合など、リムによって実質的に自動的に接触部に接触させることができる。これにより、クランプ装置は、リムの部分、好ましくはリムフランジの後ろに係合される。接触部分は、作動のための力が少なくとも部分的に、好ましくは主に軸方向に向けられるように配置および設計されることが好ましい。接触部分は、好ましくは、１つまたは複数のクランプ装置を含むアタッチメントの部分に配置される。いずれにしても、トレッド部分は、好ましくは、リムフランジの後ろに係合するための１つまたは複数のクランプ装置と、１つまたは複数の接触部分とを備える。これに加えて、またはこれに代えて、初期装着部が、１つまたは複数のクランプ装置、および該当する場合は１つまたは複数の接触部分を備えることも可能である。
【００２８】
接触部分は、好ましくは、トレッド部分上に配置され、トレッド部分が車輪、特に車輪のリムに取り付けられたときに、車輪、特に車輪のリムまたは初期装着部が接触され、この接触によって作動されるように設計および配置される。接触部分が初期装着部に配置され、初期装着部が車輪に取り付けられたときに、車輪、特に車輪のリムが接触され、この接触によって作動されるように設計されれば、本発明の意味内である。これにより、リムフランジ上の部分のそれぞれの部分の自動締め付け固定は、初期装着部とトレッド部分またはトレッド部分の一部が車輪に取り付けられたときに、事実上これによって発生する可能性がある。したがって、対応するアセンブリは非常に簡単かつ確実に構成される。
【００２９】
クランプ装置は、好ましくは、後方グリップ部分を備えた枢動フック要素によって形成され、後方グリップ部分は、クランプ装置がリムフランジの後ろで係合しているときに、リムのリムフランジの後ろで係合するように設計される。好ましくは、フック要素上に配置されるのは、後方グリップ部分に堅固に接続され、好ましくはこれと一体的に設計される作動部分である。作動部分は、好ましくは、フック要素の旋回軸を基準にして半径方向内側に配置される。リムフランジの後ろに係合するための後方グリップ部分は、フック要素の枢動軸を基準にして半径方向外側に配置することができる。リムフランジの後ろに係合するための後方グリップ部分が、フック要素の旋回軸を基準にして半径方向内側に配置されることも考えられる。枢動フック要素は、クランプ装置の特に頑丈で製造が容易な実施形態を表しており、対応するアタッチメントを製造するのに特に経済的であり、誤動作の影響を特に受けにくい。フック要素は、好ましくは、例えばばねを介して、１つの位置に予圧される。
【００３０】
作動部分は、好ましくはフック要素上に配置され、枢動軸から第２の半径方向に見たその表面の距離が枢動軸の周りの第２の周方向に連続的に減少するように設計される。作動部分は、好ましくは、フック要素がリムフランジの後ろに係合しないフック要素の第１の枢動位置において、例えば、接触相手に向けられる作動部分の第１の部分、後述するリムまたは接触要素は、枢動軸から最も離れた作動部分の一部を形成するように設計および配置される。ここで、フック要素がリムフランジの後ろで後方グリップ部分と係合するフック要素の第２の枢動位置では、接触相手に向けられる作動部分の第２の部分、例えばリムまたは接触要素が枢動軸に最も近い位置にある作動部分の一部を形成する。
【００３１】
アタッチメントは、好ましくは、接触部分が配置される接触要素を有し、接触要素は、クランプ装置とは別個に設計され、アタッチメント、特にトレッド部分上で軸方向に変位可能または旋回可能に配置される。これにより、例えば、接触要素は、軸方向に変位可能に設計することができ、それにより、クランプ装置またはフック要素が旋回可能である一方で、リムへの損傷が可能であれば回避される。フック要素および接触要素は、好ましくは、アタッチメントがリムに取り付けられたときに接触要素がリムと接触部分とに接触するように配置され、それにより、接触要素は、アタッチメントを基準にして軸方向に変位し、作動部分に接触する。これにより、フック要素が旋回し、その後方グリップ部分でリムのリムフランジの後ろに係合する。接触要素は、好ましくは、フック要素がすでにリムフランジの後ろで後方グリップ部分と係合している状態で、フック要素がこの係合位置から外に旋回しないようにラッチするように設計される。フック要素が、接触要素の凹部に係合する延長部の形態の作動部分を有するか、または接触要素がフック要素の凹部に係合する延長部を有することも考えられる。
【００３２】
接触要素およびフック要素は、好ましくは、互いに別々に設計される。
【００３３】
接触要素およびフック要素は、好ましくは歯部なしで設計され、好ましくは互いに直接接触することによって相互作用する。この場合、歯部がないとは、歯車や歯付きラックの場合のように、２つの要素に歯部がないことを意味する。これにより、接触要素とフック要素は特に強固に相互作用し、簡単な方法で組み立てることができる。
【００３４】
接触要素およびフック要素は、好ましくは、互いに関連して配置され、互いに結合され、リムとの接触によりアタッチメントが車輪に取り付けられたときに生じる接触要素の並進運動によって、フック要素の枢動動作が生じる。
【００３５】
アタッチメントは、好ましくは、それがリムフランジの後ろに係合して配置されたときに、クランプ装置、特にその枢動フック要素をロックするように設計および配置されたロック機構を含み、好ましくは、ロック機構は、好ましくは予圧された、特にばね予圧された、ラッチ要素を含む。ロック機構がクランプ装置をロックするとき、ラッチ要素がフック要素にラッチ方式で係合するか、またはフック要素がラッチ要素にラッチ方式で係合する場合が好ましい。これにより、リムへのアタッチメントの固定が特に確実になる。特に、ラッチ要素は、特にばねを介して予圧されたボルトの形で実装することができ、枢動されたフック要素は、該フック要素がリムの後ろの係合位置に旋回するときに、例えば、予圧されたボルトが係合してロックする凹部を有することができる。この目的のために、この凹部は、それがラッチ要素の係合位置で旋回するように有利に配置され、その結果、ラッチ要素は、凹部に入ることができる。
【００３６】
ロック機構は、好ましくは、アタッチメントが車輪に取り付けられ、車輪が回転しているときに道路に固定部分と接触し、それにより固定部分を作動させる、特に半径方向内側に向けられた力で固定部分に作用するように設計される。ロック機構は、固定要素が固定部分の作動時に固定位置に動かされるように設計されており、固定位置では、固定要素は、確実に保持され、好ましくは、工具によってのみ取り外し可能であり、固定位置では、固定要素は、クランプ装置をリムフランジの後ろの係合位置に確実にロックする。これにより、実質的に自動的に、車輪が動かされたときにクランプ装置がロックされることが保証される。
【００３７】
クランプ装置は、好ましくはケーシングを含み、特に事前に製造された構成要素として設計され、ロック機構も好ましくはケーシング内に配置される。したがって、ロック機構およびクランプ装置、および好ましくは接触要素は、これらのコンポーネントのための一種のハウジングを形成するケーシング内に、いずれにせよ部分的に配置することができる。このケーシングまたはこのハウジングを、その中に配置された構成要素を用いて個別に組み立てることができ、次いで、事前組立て済みユニットを、プレハブ部品としてアタッチメント、特にトレッド部分に取り付けることができることが好ましい。
【００３８】
ロック機構は、好ましくは、クランプ装置のフック要素をロックする状態で、それがロック機構のケーシングに完全に入るように実装されるラッチ要素を備える。ラッチ要素は、好ましくは、フック要素がリムフランジの後ろに係合する位置になく、フック要素がラッチ要素によってロックされていない位置にあるとき、それが断面を有するケーシングから突出するように配置および設計される。ラッチ要素は、好ましくはバーの形で設計され、一端がフック要素をロックし、反対側の端部は、バー状のラッチ要素がフック要素をロックしない場合にケーシングから突出する。突出部分は、好ましくは、信号色、例えば赤で実行される。ケーシングから突出している部分は、軸方向Ａから見たときに、好ましくはアタッチメントの車輪と反対側から見ることができる。したがって、アタッチメントは、クランプ装置が完全に旋回してリムフランジの後ろに係合しているかどうかを視覚的に確認できる。
【００３９】
初期装着部は、好ましくは、軸方向に延びる少なくとも１つの、好ましくはピン状のガイド突起を含み、トレッド部分は、ガイド突起と相補的に設計された少なくとも１つのガイド開口部を含む。その結果、すでに車輪に取り付けられている場合、トレッド部分またはトレッド部分の一部は、ガイド突起がガイド開口部に係合し、初期装着部および車輪に対するトレッド部分の軸方向のアセンブリの動きがガイド開口部のガイド突起の係合によってガイドされるように、初期装着部に配置できる。これにより、トレッド部分は、初期装着部がすでに車輪に固定されているときに、特に簡単かつ効率的な方法で車輪に取り付けることができる。初期装着部が１つまたは複数のガイド開口部を有し、トレッド部分が対応するピン状のガイド突起を有し、該ガイド突起がガイド開口部と相補的に設計されることも考えられる。ガイド開口部とガイド突起の補完的な設計と軸方向へのそれらの延長部により、トレッド部分は、車輪にすでに固定されている初期装着部に簡単な方法で軸方向に配置できる。これにより、トレッド部分の正しい向きと正しい組み立て位置の両方が実質的に事前に決定される。
【００４０】
初期装着部は、好ましくは、半径方向外向きに延びるいくつかの支柱を含み、それぞれが少なくとも１つのガイド突起を有する。これにより、ガイド突起をトレッド部分の取り付けに特に適した位置に配置することが可能である。支柱が、トレッド部分上のガイド突起を受け入れるために、ガイド突起の代わりにガイド開口部を有することも考えられる。
【００４１】
トレッド部分は、好ましくは、特に取り外し可能に、固定装置を介して初期装着部に固定可能であり、好ましくは、固定装置は、トレッド部分が、リムに向かって軸方向に初期装着部に固定されると、移動するように設計され、好ましくは、固定装置はねじ接続を含み、その固定時にトレッド部分は軸方向に初期装着部に向かって移動し、好ましくは、固定装置は少なくとも電気的に、および／または空気圧で駆動される方法、および／または予圧、特にばね予圧により、トレッド部分の軸方向の移動を支持する。トレッド部分は、初期装着部に正確に定義された方法で取り付けることができる。組み立ては、特に、トレッド部分の前述の支持された動きにより、特に簡単である。
【００４２】
すでに上で述べたように、トレッド部分が、任意選択で、初期装着部から取り外し可能に設計される。次に、初期装着部を車輪のリムに固定することができ、その後、トレッド部分を初期装着部に固定することができる。この場合、トレッド部分が、トレッド部分が初期装着部に固定されたときにボルトパターンの領域を超えて延び、かつ軸方向からみたときに初期装着部と重なるように設計された接続部分を有することが好ましい。これにより、トレッド部分は、例えばボルト締めによって、初期装着部に簡単な方法で接続できる。
【００４３】
固定装置は、好ましくは、トレッド部分が初期装着部に固定されたときにリムに向かって軸方向に移動するように設計されている。例えば、固定装置は、ウェブのような支柱およびねじの形態で設計することができ、支柱は、トレッド部分上に提供され、例えば、初期装着部にねじ込むことができるねじを受け入れるための開口部を有する。したがって、トレッド部分は、初期装着部にねじ込むことができ、ねじを締めると、トレッド部分はリムに向かって移動する。
【００４４】
電気モーターとして設計できる駆動装置をアタッチメントに取り付けることができる。駆動装置は、バッテリーとして実装できるエネルギー源を備えることができる。駆動装置は、初期装着部に取り外しできないように統合することも、取り外し可能に実装することもできる。エネルギー源に加えて、またはエネルギー源の代わりに、駆動装置は、例えば、車両のシガレットライターなどの外部電源への接続を含むこともできる。
【００４５】
駆動装置は、固定装置を作動させるために使用される。固定装置の作動時に、トレッド部分は、初期装着部に固定されると、リムに向かって軸方向に移動する。
【００４６】
例えば、いくつかのねじまたは固定装置のために別の方法で差し込み可能または使用可能である歯車モーターを提供することができ、または各ねじまたは固定装置に対して一体型歯車モーターを提供することができる。
【００４７】
アタッチメントは、好ましくは、それぞれが固定装置を作動させることができる２つの駆動装置を有し、それによって、トレッド部分の各周方向部分は、初期装着部に向かって軸方向に移動可能である。駆動装置は、好ましくは、例えばスパナを使用して、エネルギー供給がない場合に手動で操作することができるツール取り付け点を有する。
【００４８】
固定装置はまた、トルクリミッターを含むことができる。固定装置が、ねじ接続の規定された締め付けトルクを有するねじ接続として設計される場合、一般に有利である。
【００４９】
固定装置に組み込まれた駆動装置は、駆動装置の強力なセルフロックによりネジ接続の緩みに対する追加のセキュリティを提供することもできる。
【００５０】
電圧供給は、例えば、車両（例えば、シガレットライター）を介して、または適切な外部電流源（例えば、外部バッテリー）を介して提供することができる。
【００５１】
トレッド部分は、好ましくは半径方向に延在し、ギャップによって間隔を空けて配置された複数のスポーク状の支柱を含むことが好ましく、ギャップは、少なくとも車輪の回転軸周りの半径に関して、周方向の延在部を有することが好ましい。これは、支柱の周方向延長部よりも大きく、好ましくは少なくとも３倍大きい。本発明によるアタッチメントは、これにより特に軽量であり、材料を節約する方法で製造することができる。
【００５２】
初期装着部は、好ましくは、把持装置の確実な後方グリップにより、および／または、グリップの装置と、ボルトパターンの領域に配置されたリムの、好ましくは円形の、開口部との摩擦係合により、車輪に固定されるように設計される。ここで、開口部は、リムにホイールボルトまたは控えボルトを受け入れるために設けられた穴から距離を置いてリムに配置され、好ましくは、開口部は、リムの中央開口部であるか、またはリムの回転軸から離れている。好ましくは、把持装置の少なくとも一部は、初期装着部に取り外し不可能に接続される。これにより、初期装着部を特に簡単に車輪に固定することができる。特に、ボルトパターンの領域の開口部がいわゆるポリ制御穴である場合に有利である。適切に設計されたアタッチメントの初期装着部をこれらの開口部に疑似的に挿入し、トレッド部分を初期装着部に取り付けることができる。
【００５３】
初期装着部は、リムの好ましくは円形の開口部に摩擦係合するように設計された把持装置を備えることができ、この開口部は、ボルトパターンの領域に配置され、好ましくはポリ制御穴である。例えば、把持装置は、直径が拡張可能なピン状要素を含むことができる。特に、ピン状要素は、完全に挿入された状態では、ポリ制御穴の内部で終端するので、これを完全に貫通しないように設計できる。
【００５４】
把持装置は、好ましくは、ボルトパターンの領域の開口部の後ろに係合するように設計された拡張可能な部分を含み、および／または、把持装置は、圧縮状態で、ボルトパターンの領域の開口部を通して案内され、かつ開口部を通してガイドされるときに非圧縮状態で拡張するように設けられた圧縮可能な部分を含む。この場合、拡張可能な部分は、例えば、拡張要素の導入によって拡張することができるスリーブとすることができる。この種の把持装置は、例えば、初期装着部に配置することができる。初期装着部が固定されると、例えば、拡張可能スリーブの形状の把持装置をポリ制御穴に挿入し、拡張要素を拡張可能スリーブに挿入して、これを広げることができる。それはポリ制御開口部の後ろでかみ合いる。上記の把持装置が圧縮可能な部分を含むことも考えられる。これは、ポリ制御穴への導入時に圧縮され、ポリ制御穴を介して導かれるときに自律的に拡張し、その後、この後ろに係合する。今説明した変形例により、固定用の初期装着部を簡単に配置できる。アタッチメントの組み立てが簡単である。
【００５５】
「ボルトパターンの領域に配置されている」とは、この場合、少なくとも開口部がリムのスポーク間のギャップと異なることも意味する。そのような開口部は、特に、いわゆるポリ制御穴であり得る。
【００５６】
特に、リムの中央開口部に係合するように設計されている場合、把持装置は、例えば割りスリーブの形で設計することができる。変化する半径方向の延長部を有する要素、特にコーン要素は、分割スリーブの内部に配置することができ、分割スリーブに対して軸方向に移動可能である。エレメントの軸方向の動きにより、分割スリーブを広げて、開口部または中央開口部に摩擦で係合することができる。要素は、例えば、分割スリーブに対して軸方向にねじを介して移動可能であり得る。この場合、分割スリーブとは、複数の拡張可能なアームを意味することもできる。
【００５７】
把持装置は、任意選択で、初期装着部の一部として設計される。換言すれば、それは、初期装着部に取り外し不可能に接続することができる。
【００５８】
把持装置は、フック領域を含むことができる特に棒状の延長部として設計することができ、延長部は開口部に挿入されるように設計される。フック領域は、例えば、拡張可能または拡張可能であるように設計することができ、それにより、開口部を通って導かれたときに、リムの後ろで確実に係合することができる。
【００５９】
フック領域は、圧縮可能に設計することもできる。次に、フック領域は、開口部を通って導かれるときにその直径が減少し、開口部を通って導かれるときに自律的に拡張することができ、それにより、実質的に自動的にリムの後ろに係合することができる。この目的のために、フック領域は、例えば、可逆的に圧縮可能であり、弾性的であり、および／またはばねで取り付けられるように設計され得る。
【００６０】
一実施形態では、把持装置は、ボルトパターンの領域の開口部の後ろに係合するように設計された拡張可能な部分を備える。この種の拡張可能な部分は、例えば、拡張可能に設計されたフック領域によって形成することができる。例えば、把持装置は、２つのフックアームを備えることができ、これは、例えば、拡張要素、例えば、ねじをねじ込むことによって互いに離れるように移動でき、それにより、拡張することができる。
【００６１】
把持装置は、特に中空ピンのように設計することもでき、軸方向の動きによって拡張可能な部分を広げる拡張要素、特に拡張ピンを内側に備えることができる。好ましくは、いくつかの把持装置が初期装着部に配置される。把持装置が、今説明したような中空ピンのように設計されている場合、例えば、存在する可能性のある拡張ピンまたは拡張要素は、互いに接続でき、たとえば、拡張可能な部分を広げるために、ねじとして設計されたユニットを作動させることによって、好ましくは、軸方向に一緒に移動可能である。
【００６２】
初期装着部は、特に、リムの前述の開口部、特にポリ制御穴に挿入可能な圧縮可能なプラグイン要素をその直径に含むように設計することができ、挿入時に直径を小さくすることができる。プラグイン要素は、開口部の後ろに係合するように、またはこれに摩擦係合するように設計することができる。初期装着部は、好ましくは、プラグイン要素を広げる、および／またはプラグイン要素に挿入されたときにそれらの直径が圧縮されることを防ぐ、拡張要素を有する。後者の変形例は、ポリ制御穴への挿入時に直径が減少し、完全に挿入された状態で幅が広くなり、ポリ制御穴または開口部の後ろに係合するように設計されている場合に特に役立つ。
【００６３】
拡張要素は、好ましくは、初期装着部が車輪に一体に取り付けられ、プラグイン要素がリムの開口部、特にポリ制御穴に挿入されることができるように、初期装着部に取り付けられる。ここで、拡張要素は、プラグイン要素にまだ挿入されていない、または完全には挿入されていない。拡張要素は、好ましくは、初期装着部の完全に挿入されていないこの位置にロックされる。ロックを解除すると、確実な後方係合または摩擦係合により、プラグイン要素を開口部にしっかりと固定するために、初期装着部にさらに圧力を加えることにより、初期装着部の一部を好ましくは軸方向に移動させ、これにより、ロック解除された拡張要素をプラグイン要素に完全に挿入できることが好ましい。
【００６４】
初期装着部は、特に、リムの前述の開口部、特にポリ制御穴に挿入可能な把持装置として圧縮可能なプラグイン要素をその直径に含むように設計することができ、挿入時に直径を小さくすることができる。プラグイン要素は、開口部の後ろに係合するように、またはこれに摩擦係合するように設計することができる。初期装着部は、好ましくは、プラグイン要素に挿入されたときにプラグイン要素を広げる、および／またはプラグイン要素の直径が圧縮されることを防止する、拡張要素を有する。後者の変形例は、ポリ制御穴への挿入時に直径が減少し、完全に挿入された状態で幅が広くなり、ポリ制御穴または開口部の後ろに係合するように設計されている場合に特に役立つ。
【００６５】
拡張要素は、好ましくは、初期装着部が車輪に一体に取り付けられ、プラグイン要素がリムの開口部、特にポリ制御穴に挿入されることができるように、初期装着部に取り付けられる。ここで、拡張要素は、プラグイン要素にまだ挿入されていない、または完全には挿入されていない。拡張要素は、好ましくは、初期装着部の完全に挿入されていないこの位置にロックされる。ロックを解除すると、確実な後方係合または摩擦係合により、プラグイン要素を開口部にしっかりと固定するために、初期装着部にさらに圧力を加えることにより、初期装着部の一部を好ましくは軸方向に移動させ、これにより、ロック解除された拡張要素をプラグイン要素に完全に挿入できることが好ましい。
【００６６】
初期装着部は、好ましくは、第１の軸部と第２の軸部とを有する。プラグイン要素は、好ましくは、第１の軸部に配置され、拡張要素は、第２の軸部に配置される。２つの軸部は、最初は互いに離間しており、この離間した位置でロック装置を介してロックされる。次に、２つの軸部を備えた初期装着部を車輪に取り付けることができ、プラグイン要素が開口部に挿入される。次に、ロック装置のロックが解除され、初期装着部をさらに押すことにより、第２の軸部が第１の軸部に向かって移動し、拡張要素がプラグイン要素に入って、確実な後方係合または摩擦係合によって開口部にプラグイン要素をしっかりと固定する。しかしながら、拡張要素の挿入は、別の方法で実現することもできる。第１の軸部は、好ましくは、軸方向において車輪と第２の軸部との間に配置される。
【００６７】
初期装着部は、プラグイン要素と拡張要素を備えた初期装着部を車輪に取り付けることができるように設計されていることが好ましく、確実な後方部分係合または摩擦係合によってプラグイン要素を開口部にしっかりと固定するために、プラグイン要素は開口部に挿入され、第２ステップで拡張要素が適切な作動機構を介して作動され、プラグイン要素に挿入される。
【００６８】
代わりに、または上記のプラグイン要素と拡張要素に加えて、初期装着部は、リムフランジの後ろに係合するように設計されたクランプ装置を介してリムに固定することもできる。この場合、クランプ装置は、好ましくは、摺動要素上に容易に旋回可能に配置されるフック要素によって形成される。しかしながら、フック要素は、摺動要素上に堅固に配置することもできる。摺動要素は、好ましくはピン状の突起を有し、その上にフック要素が枢動するように固定される。摺動要素自体は、半径方向に並進的に変位可能であるように、初期装着部の横方向の構造に取り付けることができる。横方向の構造は、半径方向外側に延びるいくつかの支柱、好ましくは３つのそのような支柱を有することができる。摺動要素または摺動要素の少なくとも１つは、例えば、ねじとして設計された固定手段によって、横方向構造または支柱に対するその位置に固定可能であり得る。初期装着部が車輪に固定されると、トレッド部分または周方向部分は、異なる方法で初期装着部に固定され得る。ここでは、例えば上記の固定装置を介して、様々なタイプの固定が考えられる。
【００６９】
摺動要素の移動は、角度駆動によって、またはクランプレバーによって、または別の牽引装置によって実現できることが好ましい。
【００７０】
初期装着部は、さまざまな位置で摺動要素を停止することにより、さまざまなリム直径に適合させることができる。
【００７１】
今述べたような初期装着部の場合、トレッド部分はそれ自体のクランプ装置を持たないことが考えられる。ただし、独自のクランプ装置を追加することもできる。このような変形例では、最初に、たとえば下にあるクランプ装置によって、初期装着部をリムフランジの後ろに引っ掛けることができる。下にあるクランプ装置は、ここで支柱に対する位置ですでに停止している。次に、例えば上方に向けられた初期装着部の支柱が同様にリムに配置されて、上部クランプ装置は、それに固定されている対応する摺動要素と共に、牽引装置を介して簡単な方法で、リムフランジに向かって移動される。これにより、上部クランプ装置はこれの後ろに係合することができる。次に、摺動要素またはクランプ装置は、対応する支柱に対する固定手段によって停止される。
【００７２】
次に、トレッド部分の第１の周方向部分が最初に初期装着部に固定される。次に、トレッド部分の第１の周方向部分が道路に接触するように、車輪が回転する。そして最後のステップで、トレッド部分の第２の周方向部分が初期装着部に固定される。
【００７３】
今説明したような初期装着部の場合、最初に初期装着部を車輪に固定することも可能である。次のステップでは、損傷した車輪を小さなくさび形のランプに運んで、タイヤがパンクした車輪を道路から持ち上げる。車両がすでにランプに立っている場合、初期装着部を車輪に固定することもできる。周方向に一体的に設計されたトレッド部分でさえ、非常に簡単な方法で、車輪またはリムに固定された初期装着部に配置できる。
【００７４】
トレッド部分は、任意選択で、周方向に連続的に設計された内側部分を含むことができ、これは、外側部分の半径方向内側に配置され、外側部分は、周方向にギャップを有して設計され、外側部分は、挿入部分をさらに含む。これは、アタッチメントが車輪上で組み立てられた状態にあるとき、外側部分が閉じた円形トレッドを有するようにギャップに受け入れられる。外側部分は周方向に隙間があるため、車両から車輪を外したり、ジャッキを用いて車両を持ち上げたりすることなく、初期装着部とトレッド部分を車輪の挿入部なしで固定することができる。この目的のために、初期装着部は、例えば、上述の方法の１つで車輪に固定することができる。次に、トレッド部分の外側部分のギャップが地面に向けられ、トレッド部分が初期装着部に固定される。初期取付部とトレッド部を車輪に固定すると、車両をわずかに動かすことができる。次に、車輪が地面の方向から離れる方向に回転することにより、ギャップが移動する。例えば、車両は、車輪の半分の回転で前方に移動することができ、ギャップは道路の方を向いておらず、上方を指している。これで挿入部を隙間に挿入し取り上げることができる。その場合、アタッチメントは周方向に閉じた円形トレッドを持っている。次に、アタッチメントの組み立てを完了させるか、アタッチメントを車輪に追加の手段（例えば、クランプ装置）を介して固定することができる。
【００７５】
トレッド部分は、好ましくは環状部分を含み、環状部分は、好ましくは、外側半径方向領域に配置される。環状部分は、周方向に複数の部分で設計することができる。それは、好ましくは、存在し得るトレッド部分の周方向部分に対応する周方向に複数の部分で設計される。環状部分は、アタッチメントのトレッドを形成するトレッドコーティングが、トレッド部分主要部分と環状部分との間で摩擦および／または確実に保持されるように、軸方向にトレッド部分の主要部分に取り付けられることが好ましい。環状部分は、この目的のために、例えばねじ接続を介して主要部分に取り付けることができる。
【００７６】
トレッド部分は、好ましくはキャスタブルポリマーのキャストトレッドで実行されることが好ましい。したがって、トレッドは、トレッド部分上にキャストされることが好ましい。
【００７７】
トレッドは、トレッド部分にクランプで取り付けることもできる。クランプは、通常の運転操作において、トレッドとトレッド部分の残りの部分との間に相対運動が起こらないような種類のものであることが好ましい。しかしながら、クランプは、好ましくは、極端な加速または極端なブレーキ操作において、トレッドとトレッド部分の残りの部分との間で相対的な動きが生じるように調整され得る。
【００７８】
任意選択で、アタッチメントはタイヤ変位装置を備える。アタッチメントを取り付けるとき、および／またはトレッド部分を初期装着部に固定するとき、および／またはクランプ装置を作動させるときに、タイヤ変位装置は、軸方向にリムフランジから離れて移動するように設計される。これにより、クランプ装置はリムフランジに自由にアクセスできる。
【００７９】
任意選択で、タイヤ変位装置がクランプ装置とは別に設計される。タイヤ変位装置が、クランプ装置またはクランプ装置の一部によって形成されるか、またはこれを含むことも考えられる。
【００８０】
任意選択で、固定要素が固定位置に移動したときに、リムの部分の後ろで係合しているクランプ装置の後方グリップ部分をリムの部分に対してさらに固定するようにロック機構が設計される。  
固定要素が、好ましくは突起、特にピン状に設計されたクランプ装置の部分の後ろに係合し、力でそれに作用するように設計および配置された可動クランプ面を有することが好ましい。その結果、クランプ装置の後方グリップ部分が、車輪のリムの部分の後ろの係合位置に押し込まれ、ロック機構が固定位置に移動したときに、この後方係合で支えられる。
【００８１】
独立した発明はまた、トレッドを備えた本体を有するアタッチメントであり、本体は、上記のトレッド部分の実施形態の１つに対応することができ、好ましくは、アタッチメントは、前述したクランプ装置の１つ以上の実施形態、好ましくはロック機構の１つ以上の実施形態をさらに含む。したがって、そのようなアタッチメントは、前述の実施形態の初期装着部を必ずしも備える必要はない。
【００８２】
本発明の独立した態様は、アタッチメントおよび車輪のリムのシステムであり、アタッチメントは、上記および下記の特徴を有するか、または上記および下記の実施形態の１つ以上に従って設計することができる。リムは、少なくとも１つの開口部、好ましくは複数の開口部を有し、それらはリムのボルトパターンの領域にあるか、または配置されており、開口部は、ホイールボルトまたは控えボルトを受け入れるために設けられた穴から、好ましくはリムの中央開口部から距離を置いて配置されていることが好ましい。記載した開口部は、ポリ制御穴であり得るが、アタッチメントを固定するために特別に提供される他の開口部でもあり得る。
【００８３】
開口部の中心点は、ホイールボルトまたは控えボルトを受け入れるために設けられた穴の中心点を通る円に対して、ある距離、好ましくは半径方向外側にある距離で離間して配置されることが好ましく、開口部の中心点は、ホイールボルトまたは控えボルトを受け入れるために設けられたすべての穴を囲む最小の円を形成する円に対して、ある距離、好ましくは半径方向内側にある距離で離間して配置される。
【００８４】
本発明の一部は、前述の実施形態の１つまたは複数によるアタッチメントとドライブオン要素のセットでもある。ドライブオン要素は、特にプラトー部分を備えたランプのように設計されることが好ましく、それにより、車両ドライバーは、パンクしたタイヤでこのドライブオン要素上を走行し、その後、プラトー部分に到達することができる。ここで安全に車両を停止することができる。その後、セットのアタッチメントを車輪に単に取り付けることができる。
【００８５】
本発明の他の特徴、適用オプションおよび利点は、図面を参照して説明される本発明の例示的な実施形態の以下の説明からもたらされ、特徴は、再び明示的に参照されることなく、単独および異なる組み合わせの両方で本発明において実質的であり得る。図は次のとおりである。
【図面の簡単な説明】
【００８６】
【図１】軸方向から見た車輪である。
【図２】車輪のリムの断面図である。
【図３】本発明によるアタッチメントの第１の実施形態である。
【図４】図３の実施形態の別の図である。
【図５】本発明によるアタッチメントの別の実施形態である。
【図６】本発明によるアタッチメントの別の実施形態である。
【図７】本発明によるアタッチメントの別の実施形態である。
【図８】図３のアタッチメントの初期装着部である。
【図９】本発明によるアタッチメントの代替の初期装着部である。
【図１０】トレッド部分の２つの周方向部分間の接触面の周りの領域である。
【図１１】本発明によるアタッチメントの別の実施形態である。
【図１２】図１１のアタッチメントの様々な断面図である。
【図１３】把持装置である。
【図１４】別の把持装置である。
【図１５】プレハブ部品として設計されたクランプ装置を示す。
【図１６】リムフランジが示されていない、リムフランジの後ろに係合する位置にある図１５のクランプ装置である。
【図１７】トレッド部分を初期装着部に向かって動かすための駆動装置を備えたアタッチメントである。
【発明を実施するための形態】
【００８７】
以下の図では、対応するコンポーネントと要素には同じ参照文字が付いている。より明確にするために、すべての符号がすべての図に再現されてものではない。
【００８８】
図１は、車輪１の概略図を示す。車輪１は、リム２と、リム２に取り付けられたタイヤ３と、を備える。リム２は、タイヤ３なしで図２に個別に示される。
【００８９】
周方向Ｕは、符号Ｕを有する矢印によって示される。軸方向Ａは、符号Ａを有する矢印によって示される（図２）。半径方向Ｒは、符号Ｒを有する矢印によって示される。
【００９０】
半径方向内側において、リム２は、車輪１のボルトパターン４を備える。軸方向Ａに沿って延びる車輪１の回転軸５の周りのボルトパターン４の中心に配置されるのは、いわゆる中央開口部６である。これは、場合によってはハブボアまたはセンターホールセンタリングとも呼ばれる。
【００９１】
ここで、ボルトパターン４は５つのねじ穴７を含み、そのうちの２つには符号が設けられている。本車輪１では、５つのスポーク８がボルトパターン４の領域から半径方向外向きに延びている。
【００９２】
リム２は、リムベッド９およびリムフランジ１０を含み、中央開口部６は、凹んだ円周溝１２を有する。
【００９３】
リム２には、ボルトパターン４の領域に配置されたいくつかの開口部１３がある。開口部１３は、リム２のネジ穴７から距離を置いて配置されている。つまり、ホイールボルトまたは控えボルト、およびリム２の中央開口部６を受け入れるための穴７が設けられている。
【００９４】
開口部１３は、例えば、ポリ制御穴として実装することができ、それを介して、車輪１の車軸の軸方向の遊びを測定することができる。
【００９５】
車輪１のタイヤ３に穴が開いていると、タイヤ内の空気が抜けて、車輪１のタイヤ機能が制限される。このような場合に運転を継続できるようにするために、本発明によるアタッチメント１４を使用することができる。
【００９６】
そのようなアタッチメントの例を図３に示する。アタッチメント１４は、アタッチメント１４のトレッド１８を含むトレッド部分１６と、トレッド１８の半径方向内側にアタッチメント１４のアセンブリに配置された初期装着部２０で設計されている。
【００９７】
この場合、トレッド部分１６は、初期装着部２０とは別個にかつ取り外し可能に設計される。
【００９８】
初期装着部２０は、車輪１のリム２のボルトパターン４の領域で車輪１に固定されるように設計されており、特に、リム２のボルトパターン４の領域で確実な後方係合および／または摩擦接続を介して固定される。
【００９９】
本実施例における確実な後方係合は、１つ以上の把持装置２２によって実現される。本実施例における把持装置２２は、拡張可能な部分２４を備える。把持装置２２は、本実施例では、ボルトのようにまたは展開可能なスリーブ２６の形態で設計される。展開可能なスリーブとして設計された把持装置２２は、車輪１のリム２の開口部１３に挿入されるように設計および配置される。
【０１００】
トレッド部分１６は、ここでは、周方向Ｕにおいて複数の部分で設計され、トレッド部分１６は、好ましくは、ここでは、第１の周方向部分３２および第２の周方向部分３４を備える。アタッチメント１４は、リム２の部分（好ましくは、リムフランジ１０）の後ろに係合する（図４ｂ〜４ｄ）ように設計されたクランプ装置３８をさらに備える。この例では、クランプ装置３８はトレッド部分１６に配置されている。
【０１０１】
初期装着部２０は、第１の軸部４０と第２の軸部４２とを有する。把持装置２２は、好ましくは、ここでは、第１の軸部４０にしっかりと固定され、第２の軸部４２にピン状延長部４３が固定される。これらは、初期装着部２０の２つの軸部が互いに押し込まれるか、または互いに押し付けられると、拡張可能なスリーブ２６に挿入される。
【０１０２】
アタッチメント１４を車輪１に固定するために、最初に、拡張可能なスリーブ２６を備えた第１の軸部４０が開口部１３に挿入される。次のステップでは、第２の軸部４２が第１の軸部４０上に配置されて、ピン状延長部４３は、開口部１３に既に配置されている拡張可能なスリーブ２６に導入される。拡張可能なスリーブ２６は、これにより拡張され、開口部１３の後ろに確実に係合する。把持装置２２が車輪のポリ制御穴の後ろに係合するとき、車輪上の確実な後方係合によって初期装着部２０が固定される。
【０１０３】
次に、第１の周方向部分３２が初期装着部２０に適用される。クランプ装置３８はそれぞれ、ここでは、リムフランジ１０の後ろで係合しない第１の位置で支えられている枢動フック要素４４によって形成される（図４ｂ）。
【０１０４】
フック要素４４は、リムフランジ１０との後方係合を実現するように設計された後方グリップ部分４６を有する。フック要素４４は、後方グリップ部分４６に堅固に接続された作動部分４８をさらに備える。後方グリップ部分４６は、枢動軸５０を基準にして半径方向外側に配置される。作動部分４８は、枢動軸５０を基準にして半径方向内側に配置される。
【０１０５】
アタッチメント１４は、トレッド部分１６上に旋回可能に配置される、プレートとして形成される接触要素５２を備える。プレートとして形成された接触要素５２の旋回能力は、ここではそれらの弾性変形能力によって提供される。接触要素５２はまた、リム２を保護するために、軸方向Ａにおいて車輪１に面する側にゴムコーティングを有することができる。
【０１０６】
接触要素５２は、車輪１上のアタッチメント１４の組み立て時に車輪１のリム２に接触するように設計および配置される。それらはまた、リム２に接触するとフック要素４４の作動部分４８に接触するように設計される。  
したがって、接触要素５２はそれぞれ、トレッド部分１６が車輪に取り付けられたときに、車輪１、特に、車輪１のリム２が接触およびこの接触により作動し、接触部分に力が軸方向に働くように設計および配置される。接触部分の作動により、フック要素の作動部分が順番に作動し、フック要素４４が枢動軸５０を中心に枢動し、後方グリップ部分４６がリム２のリムフランジ１０の後ろに係合する。
【０１０７】
アタッチメント１４は、ロック機構５６をさらに備える。ロック機構５６は、ラッチ要素５８を備える。この例では、ラッチ要素５８は、ばねが予め負荷されたボルト５９として実装される。クランプ装置またはそのフック要素４４が、後方グリップ部分４６がリムフランジの後ろに係合する位置では、ラッチ要素５８はフック要素４４の対応する凹部６０に係合する。リムフランジ１０の後ろのフック要素４４による係合は、図４ｄに再び明確に示されている。
【０１０８】
フック要素４４は、図４ｅに個別に拡大して示されている。図４ｅは、図４ｄの下の図の位置にあるフック要素４４を示す。作動部分４８は、より詳細に説明される。作動部分４８は、好ましくは、本フック要素４４上に配置され、枢動軸５０から見た第２の半径方向Ｒ２におけるその表面の距離が、枢動軸５０の周りの第２の周方向Ｕ２に連続的に減少するように設計される。
【０１０９】
作動部分４８は、好ましくは、図４に示されるバージョンのように設計および配置され、それにより、フック要素４４の第１の旋回位置Ｓ１（図４ｄ上部）において、接触相手に向けられた作動部分４８の第１の部分６２は、枢動軸５０から最も離れた作動部分の一部を形成する。フック要素４４の第１のスイング位置Ｓ１では、フック要素４４は、リムフランジ１０の後ろで後方グリップ部分４６と係合しない。
【０１１０】
図４の例では、接触相手は接触要素５２であり、したがって弾性的に設計されたプレートである。しかしながら、接触相手は、例えば、リム、または異なるように構成された接触要素５２であることもできる。
【０１１１】
フック要素４４の第２の枢動位置Ｓ２（図４ｄの底部）では、フック要素４４は、リムフランジ１０の後ろで後方グリップ部分４６と係合する。この位置において接触相手に向けられた作動部分４８の第２の部分６４は、この位置で枢動軸５０に最も近くに位置する作動部分４８の一部を形成する。
【０１１２】
作動部分４８は、第１の部分６２から第２の部分６４まで延在し、接触相手に面するか、あるいは接触相手、例えば接触要素５２またはリム２との接触により旋回時にこれに接触するフック要素４４の面を表す。作動部分の表面から枢動軸５０までの距離は、第１の部分６２から第２の部分６４まで連続的に減少する。この距離の連続的な減少により、接触要素５２の軸方向の動きＡは、フック要素４４の枢動運動に変換することができる。
【０１１３】
図４の例では、後方グリップ部分４６は、枢動軸５０から半径方向外側に配置され、作動部分４８は、枢動軸５０から半径方向内側に配置される。
【０１１４】
図５は、作動部分４８および後方グリップ部分４６が両方とも枢動軸５０から半径方向内側に配置される変形例を示す。この場合、この図は、後方グリップ部分４６がリムフランジ１０との後方係合にある第２の枢動位置Ｓ２を指す。
【０１１５】
図５のアタッチメント１４は、ロック機構５６も備える。ロック機構５６は、図４に関連して既に説明したように、ラッチ要素５８を備える。
【０１１６】
図５のロック機構５６はまた、アタッチメント１４が車輪１に取り付けられ、車輪１が回転していて固定部分６６を作動させるときに、特に半径方向内側に向けられた力でそれに作動させるときに、道路を固定部分６６と接触させるように設計される。ここで、固定部分６６は、トレッド１８に配置されている。
【０１１７】
ロック機構５６は、固定要素６８が、固定部分６６の作動時に、図５ｂに示される固定位置ＳＰに移動するように設計される。固定位置では、それは確実に保持され、これは、図５では、適切に実行された開口部７４を有するプレート７２によって案内されるリブ付き表面７０によって実現される。ここで、リブ付き表面７０は、非対称設計で実装されて、開口部７４を介して半径方向内側に向けられた方向に押し付けられ得るが、半径方向外側に向けられた方向には押し付けられることはない。、固定要素６８は、工具によって固定位置ＳＰからのみ取り外し可能であることが好ましい。固定位置ＳＰでは、固定要素６８は、クランプ装置３８を、リムフランジ１０により後方グリップ位置に確実にロックする。
【０１１８】
本発明によるアタッチメント１４の別の実施形態を図６に示す。図６の実施形態は、スライドのように設計された接触要素５２を含む。
【０１１９】
接触要素５２は、クランプ装置３８とは別個に設計され、アタッチメント１４、特にトレッド部分１６上で軸方向Ａに変位可能または旋回可能に配置される。
【０１２０】
この実施形態のフック要素４４は、延長部７６の形態の作動部分４８を備える。延長部７６は、接触要素５２の凹部７８に係合する。軸方向Ａにおける接触要素５２の並進運動は、これにより枢動軸５０の周りのフック要素４４の枢動運動に変換され得る。
【０１２１】
図６のアタッチメント１４は、ロック機構５６も備える。ロック機構５６は、図４に関連して既に説明したように、ラッチ要素５８を備え、ラッチ要素５８は、クランプ装置３８とのみ相互作用し、これを間接的にロックする点が異なる。ロックは、ラッチング要素５８が接触要素５２をブロックする方法でロックすることにより行われ、これにより、クランプ装置３８の延長部７６がロックされる。
【０１２２】
接触要素５２は、ここではゴムコーティング８２として実行される接触保護８０を有する。そのような接触保護は、例えば、クランプ装置３８自体が接触部分５４を備える場合、クランプ装置３８に直接設けることもできる。
【０１２３】
本発明によるアタッチメント１４のさらなる実施形態を図７に示す。この実施形態では、接触要素５２は、フック要素４４の作動部分４８と相互作用する段階的な結合面８２を有する。これにより、軸方向Ａに向けられた接触要素５２の並進運動は、枢動軸５０を中心とするフック要素４４の枢動運動に変換することができる。ラッチ要素５８は、図６の例のように、図７の例のクランプ装置３８を再び間接的にのみロックする。  
図７ｄは、車輪１およびリム２に取り付けられた状態のアタッチメント１４を明確に示している。
【０１２４】
図８では、図１の初期装着部２０が詳細に示されている。初期装着部２０は、軸方向に延在するいくつかの、好ましくはピン状のガイド突起８４を有する。
【０１２５】
トレッド部分１６は、各ガイド突起８４に対応するガイド開口部８６を有する。それぞれのガイド開口部８６は、ガイド突起部８４と相補的に設計されているので、初期装着部２０が車輪１に取り付けられると、トレッド部分１６またはトレッド部分１６の一部または周方向部分３２、３４は、それぞれのガイド突起８４がガイド開口部８６に係合し、初期装着部２０およびガイド開口部８６に対するドレッド部分１６の軸方向組立体の動きがガイド開口部８６におけるガイド突起８４の係合によって案内されるように、初期装着部２０に配置され得る。
【０１２６】
初期装着部２０は、半径方向外向きに延びるいくつかの支柱８８を有し、それぞれが少なくとも１つのガイド突起８４を有する。
【０１２７】
図４の例では、トレッド部分１６が固定装置９０を介して初期装着部２０に取り外し可能に固定されていることが明確に示されている。固定装置９０は、好ましくは、トレッド部分１６が、リム２に向かって軸方向Ａに初期装着部２０に固定されたときに動くように設計される。固定装置９０は、図４の例では、ねじ接続９２として設計されている。ねじ接続を締めると、トレッド部分１６は、初期装着部２０に向かって軸方向Ａに移動する。該初期取り付け装置２０は、把持装置２２を介して車輪に既に固定されている。固定装置９０は、電気的および／または空気圧的に駆動される方法で、または予圧（特に、ばね予圧）により、軸方向Ａにおけるトレッド部分１６の動きを少なくとも支持することもできる。例えば、いくつかのネジまたは固定装置９０のために別の方法で差し込み可能または使用可能なギアモーター、または各ネジまたは固定装置９０のための一体型ギアモーターを提供することができる。
【０１２８】
図１７には、本例では電気モーターとして設計された駆動装置１５０を含む実施形態が示されている。駆動装置１５０は、電池として実装されるエネルギー源１５２を備える。駆動装置１５０は、初期装着部２０に取り外し不可能に統合することができ、または取り外し可能に実装することができる。エネルギー源１５２と同様に、またはその代わりに、駆動装置は、外部電源、例えば車両のシガレットライターへの接続１５４も備える。
【０１２９】
駆動装置１５０は、固定装置９０を作動させる働きをする。固定装置９０の作動時に、トレッド部分１６は、初期装着部２０に固定されると、リム２に向かって軸方向Ａに移動する。
【０１３０】
アタッチメント１４は、好ましくは、それぞれが固定装置９０を作動させることができる２つの駆動部１５０を有し、これにより、トレッド部分１６の各周方向部分３２、３４は、初期装着部２０に向かって軸方向Ａに移動可能である。エネルギー供給の不在下で、例えばスパナを使用して手動で操作できるツール作用点１５６を有する。
【０１３１】
図７に示すように、トレッド部分１６は、好ましくは半径方向Ｒに延在し、ギャップ９４によって間隔を空けられたいくつかのスポーク状ストラット９６を含むことができ、ギャップ９４（好ましくは、周方向延長部１００を有する）は、少なくとも、半径９８は、支柱９６の周方向延長部１０２よりも大きく、好ましくは少なくとも３倍大きい。
【０１３２】
図９ａは、初期装着部２０の変形例を示す。図９の初期装着部２０は、リムフランジ１０の後ろで係合するように設計されたクランプ装置３８を介してリム２に固定することができる。クランプ装置３８は、この場合、摺動要素１０４上で容易に旋回可能であるように配置されたフック要素４４によって形成される。ただし、フック要素４４は、摺動要素１０４上に堅固に配置することもできる。摺動要素１０４は、ピン状の突起１０６を有し、その上にフック要素４４が枢動して取り付けられている。摺動要素１０４自体は、半径方向Ｒに並進的に変位可能であるように、初期装着部２０の横方向構造１０８に取り付けられる。横方向構造１０８は、半径方向外向きに延びる３つの支柱１０９を有する。摺動要素１０４は、ねじとして設計された固定手段１１０を介して、横方向構造体１０８および支柱１０９に対するそれらの位置に固定することができる。初期装着部２０が車輪１に固定されている場合、トレッド部分１６または周方向部分３２および３４は、初期装着部２０とは異なる方法で固定することができる。ここでは、様々なタイプの固定（例えば、前述の固定装置９０を介して）が考えられる。
【０１３３】
摺動要素１０４の移動は、角度駆動を介して、またはクランプレバーを用いて、または別の牽引装置１６０によって、実現できることが好ましい。
【０１３４】
図９の初期装着部２０は、摺動要素１０４を異なる位置で停止させることにより、異なるリム直径に適合させることができる。
【０１３５】
図９ｂでは、図９ａの初期装着部２０は、この初期装着部２０に特別に調整されたトレッド部分１６とともに示されている。トレッド部分１６は、ここに独自のクランプ装置３８を持たないが、追加の独自のクランプを有することもできる。図示の変形例では、初期装着部２０は、最初に、図９ｂの下にあるクランプ装置３８でリムフランジ１０の後ろに引っ掛けられ得る。下にある２つのクランプ装置３８は、ここで、支柱１０９に関して相対的な位置ですでに停止している。次に、図９ｂで上方に向けられた初期装着部２０の支柱１０９が同様にリム２上に配置され、それにより、タイヤは、剛性延長部として設計されたタイヤ変位装置１６５を介してリムフランジ１０から持ち上げられる。その結果、それが固定された摺動要素１０４を備えた上部クランプ装置３８は、牽引装置１６０を介してリムフランジ１０に向かって容易に移動でき、それにより、これの後ろに係合できる。次に、摺動要素１０４およびクランプ装置３８は、対応する支柱１０９に対して、固定手段１１０を表すねじ１７０によって停止される。
【０１３６】
次に、トレッド部分１６の第１の周方向部分３２が最初に初期装着部２０に固定される。次に、トレッド部分の第１の周方向部分３２が道路に接触するように車輪が回転される。そして、最終ステップにおいて、トレッド部分１６の第２の周方向部分３４は、初期装着部２０に取り付けられる。
【０１３７】
図９に示されているような初期装着部２０の場合、最初に車両取り付け部に初期装着部２０を固定することも可能である。次のステップでは、損傷した車輪１を小さなくさび形のランプに運んで、パンクしたタイヤ３を備えた車輪１を道路から持ち上げる。同じく周方向Ｕに一体的に設計されたトレッド部分１６は、車輪１またはリム２に固定された初期装着部２０上に非常に簡単に配置することができる。
【０１３８】
トレッド部分１６がいくつかの周方向部分、例えば第１の周方向部分３２および第２の周方向部分３４を有する場合、接続装置１１４がそれらの接触面１１２上に互いに配置されると有利である。これを図１０−１２に示する。接続装置１１４は、例えば、ばね１１５を介して予圧された要素１１６を介して実装することができ、この要素は、周方向部分の１つに配置され、ばね荷重された接触面１１２から周方向に突出する。他の周方向部分に配置されているのは、対応する凹部１１８であり、その中にバネ予圧要素１１６が係合することができる。
【０１３９】
第１の周方向部分３２が初期装着部２０に固定された後、第２の周方向部分３４は、軸方向Ａに押し付けられることができる。２つの接触面１１２が互いに摺動すると、ばねで予圧された要素１１６が押される。ここで、ばねで予圧された要素１１６は、第２の周方向部分３４が軸方向Ａの所定の位置へ完全に押し込まれたときに、第２の周方向部分３４の凹部１１８に係合する。
【０１４０】
アタッチメント１４の有利な変形例を図１１および１２に示す。
【０１４１】
アタッチメント１４は、好ましくは、正確に２つの周方向部分３２、３４を備えたトレッド部分１６を有し、これらは特に両方とも１８０°の周方向延長部を有する。周方向部分３２、３４は、好ましくは、実質的に同一の構造である。  ２つの周方向部分３２、３４は、好ましくは同一のベース要素１２０を有する。
【０１４２】
ベース要素１２０は、好ましくは、鋳造物１２２として設計される。好ましくは、これらの２つの周方向部分のそれぞれに配置されるのは、正確に２つのクランプ装置３８であり、それぞれが旋回可能なフック要素４４として設計される。
【０１４３】
クランプ装置３８は、好ましくは、周方向部分３２、３４のベース要素１２０にねじ止めされる、予め製造された部品１２３として設計される。これは、図１５および１６に明確に示されている。接触要素５２は、好ましくは予め製造された部品１２３上に設けられ、ベース要素１２０上にこれに取り付けることができる。
【０１４４】
各フック要素は、好ましくは、少なくとも３０ｍｍ、好ましくは４０ｍｍ、特に５０ｍｍの周方向に延長部１２４を有する。
【０１４５】
ロック機構５６は、図１１ｃに詳細に示されている。ロック機構５６は、それがフック要素４４をロックする図１１ｃに示される状態で、それがケーシング１２６（図１６）に完全に入るように実装されるラッチ要素５８を備える。フック要素４４がリムフランジ１０の後ろに係合する位置にある前は、ラッチ要素５８はまだフック要素４４をロックしておらず、その後方部分１２８と共にケーシング１２６から突出している（図１５）。後方部分１２８は、好ましくは、信号色、例えば赤で実行される。ケーシング１２６から突出する後方部分１２８は、好ましくは、軸方向Ａに見ると、アタッチメントの車輪１とは反対側から見ることができる。したがって、アタッチメント１４は、クランプ装置３８またはフック要素がリムフランジ１０との後方係合に完全に枢動されているかどうかの視覚的チェックを含む。これは、図１５にも明確に示されている。
【０１４６】
図１２は、図１１のアタッチメントをさまざまな断面図で示している。
【０１４７】
初期装着部２０は、特に、リム２の前述の開口部１３、特にポリ制御穴に挿入可能な把持装置２２として、その直径に圧縮可能なプラグイン要素１３０（挿入時に直径を縮小できる）を含むように設計することができる。プラグイン要素１３０は、開口部１３の後ろで係合するように、またはこれに摩擦により係合するように設計することができる（確実な後方係合のバージョンが図１１および１２に示されている）。初期装着部２０は、好ましくは、プラグイン要素を広げる、および／またはプラグイン要素に挿入されたときにそれらの直径が圧縮されるのを防止する、拡張要素１３２を有する。後者の変形例は、プラグイン要素がポリ制御穴に差し込まれると直径が小さくなり、完全にプラグインされた状態で広がり、ポリ制御穴または開口部の後ろに係合するように設計されている場合に特に意味がある。
【０１４８】
拡張要素１３２は、好ましくは、初期装着部２０が車輪１に一体にワンピースで取り付けられ、プラグイン要素１３２がリム２の開口部１３、特にポリ制御穴に導入され得るように、初期装着部２０に取り付けられる。ここで、拡張要素１３２は、プラグイン要素１３０にまだまたは完全には挿入されていない。拡張要素１３２は、例えばロック装置１３４によって、好ましくは、初期装着部２０のこの完全に導入されていない位置にロックされる。ロック装置１３４によるロックの解除に続いて、特に初期装着部２０へのさらなる圧力によって、初期装着部２０の一部１３８を、好ましくは軸方向Ａに移動させることが可能である。これにより、ロック解除された拡散要素１３２をプラグイン要素１３０に完全に導入して、確実な後方係合または摩擦係合によってプラグイン要素１３０を開口部１３にしっかりと固定する。
【０１４９】
初期装着部２０は、好ましくは、第１の軸部１４０および第２の軸部１４２を有する。プラグイン要素１３０は、好ましくは、第１の軸部１４０に配置され、拡張要素１３２は、第２の軸部１４２に配置される。２つの軸部１４０、１４２は、最初、互いに距離を置いて配置され、この離間位置では、ロック装置１３４を介してロックされる。次に、２つの軸方向部品１４０、１４２を有する初期装着部２０を車輪に取り付けることができ、プラグイン要素１３０が開口１３に導入される。次に、ロック装置１３４のロックが解除され、初期装着部２０をさらに押すことにより、第２の軸部１４２が第１の軸部分１４０に向かって移動し、拡張要素１３２がプラグイン要素１３０に入って、プラグイン要素１３０を確実な後方係合（図１４）または摩擦係合（図１３）によって開口部１３にしっかりと固定する。しかしながら、拡散要素１３２の挿入は、異なる方法で実現することもできる。
【０１５０】
初期装着部２０は、好ましくは、初期装着部２０がプラグイン要素１３０および拡張要素１３２を用いて車輪１に取り付けられ得るように設計され、プラグイン要素１３０は、開口部１３内に導入され、第２のステップでは、拡散要素１３２は、対応する作動機構を介して作動され、これは、初期装着部２０上に配置され、例えば、作動レバーとして設計することができ、プラグイン要素１３０に挿入することができる。その結果、確実な後方係合または摩擦係合によってプラグイン要素１３０を開口部１３内にしっかりと固定する。
【符号の説明】
【０１５１】
１  車輪
２  リム
１０  リムフランジ
１４  アタッチメント
１６  トレッド部分
１８  トレッド
２０  初期装着部
３２  第１の周方向部分
３４  第２の周方向部分
３８  クランプ装置
５４  接触部分
【図１】
2021512015.tif 000003
【図２】
2021512015.tif 000004
【図３】
2021512015.tif 000005
【図４】
2021512015.tif 000006
【図５】
2021512015.tif 000007
【図６】
2021512015.tif 000008
【図７】
2021512015.tif 000009
【図８】
2021512015.tif 000010
【図９ａ）】
2021512015.tif 000011
【図９ｂ）】
2021512015.tif 000012
【図１０】
2021512015.tif 000013
【図１１】
2021512015.tif 000014
【図１２】
2021512015.tif 000015
【図１３】
2021512015.tif 000016
【図１４】
2021512015.tif 000017
【図１５】
2021512015.tif 000018
【図１６】
2021512015.tif 000019
【図１７】
2021512015.tif 000020
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
タイヤ機能が制限された運転操作を可能にするためのリムを含む車輪用のアタッチメントであって、
前記アタッチメントは、トレッドを含むトレッド部分を有し、前記アタッチメントは、少なくとも１つのクランプ装置を含み、前記少なくとも１つのクランプ装置は、前記リムの部分の後ろに係合するように設計され、前記アタッチメントは、初期装着部を含み、前記トレッド部分の少なくとも一部は、前記初期装着部とは別個に設計され、取り外し可能にこれに接続可能であるか、または前記初期装着部に移動可能に接続されるように設計され、前記初期装着部は、前記アタッチメントが前記車輪に固定されたときに、前記トレッドに関して半径方向内側に配置されるように設計され、前記アタッチメントは、接触部分を備え、前記接触部分は、該接触部分が作動されるときに、前記クランプ装置を作動させ、それをリムの部分に後方係合させるように設計され、前記接触部分は、前記トレッド部分上に配置され、前記トレッド部分が前記車輪に取り付けられたときに、それが前記車輪に接触し、この接触によって作動されるように設計および配置されるか、または、前記接触部分は、前記初期装着部上に配置され、前記初期装着部が前記車輪に取り付けられたときに、それが前記車輪に接触し、この接触によって作動されるように設計および配置されることを特徴とするアタッチメント。
【請求項２】
前記クランプ装置が、前記トレッド部分および／または前記初期装着部に配置されることを特徴とする請求項１に記載のアタッチメント。
【請求項３】
前記接触部分は、前記アタッチメントが前記車輪に固定されたときに、前記車輪のリムに接触することを特徴とする請求項１または２に記載のアタッチメント。
【請求項４】
周方向で見た前記トレッド部分が、それぞれ前記トレッドの周囲の一部を含む少なくとも２つの部分を有し、前記少なくとも２つの部分は互いに分離可能であるか、または互いに対して旋回可能または変位可能であることを特徴とする請求項１〜３のいずれか一項に記載のアタッチメント。
【請求項５】
前記接触部分は、前記アタッチメントが前記車輪に固定されたときに、前記アタッチメントの前記車輪に面する側に配置されることを特徴とする請求項１〜４のいずれか一項に記載のアタッチメント。
【請求項６】
前記トレッド部分が、正確には２つの周方向部分を備えるように設計され、特に前記２つの周方向部分は両方とも１８０°の周方向延長部を有し、前記２つの周方向部分は、好ましくは、同一のベース要素を有し、好ましくは、２つのクランプ装置が前記２つの周方向部分のそれぞれに正確に配置され、前記２つのクランプ装置はそれぞれ旋回可能なフック要素を備えることを特徴とする請求項１〜５のいずれか一項に記載のアタッチメント。
【請求項７】
前記各クランプ装置は、プレハブ部品として設計され、関連する前記周方向部分のベース要素に取り付けられることを特徴とする請求項１〜６のいずれか一項に記載のアタッチメント。
【請求項８】
前記プレハブ部品は、前記接触部分を備えることを特徴とする請求項７に記載のアタッチメント。
【請求項９】
前記リムの部分が、リムフランジであることを特徴とする請求項１〜８のいずれか一項に記載のアタッチメント。
【請求項１０】
前記クランプ装置は、後方グリップ部分を備えた枢動フック要素によって形成され、前記後方グリップ部分は、前記クランプ装置が前記リムフランジの後ろに係合しているときに、前記リムのリムフランジの後ろに係合し、前記後方グリップ部分に堅固に接続された作動部分が前記フック要素に配置されることを特徴とする請求項１〜９のいずれか一項に記載のアタッチメント。
【請求項１１】
前記アタッチメントは、前記接触部分が配置される接触要素を備え、前記接触要素は、前記クランプ装置とは別個に設計され、かつ前記アタッチメント、好ましくは前記トレッド部分において軸方向に変位可能または旋回可能に配置されることを特徴とする請求項１〜１０のいずれか一項に記載のアタッチメント。
【請求項１２】
前記アタッチメントは、ロック機構を備え、前記ロック機構は、前記リムフランジと後方係合しているときに、前記クランプ装置をロックするように設計および配置されることを特徴とする請求項１〜１１のいずれか一項に記載のアタッチメント。
【請求項１３】
前記アタッチメントが前記車輪に取り付けられたときに、前記ロック機構が固定部分と道路に接触するように設計され、前記車輪が回転して、前記固定部分を作動させ、特に半径方向内側に向けられた力でそれに作用し、前記ロック機構は、前記固定要素が前記固定部分の作動時に固定位置に移動し、前記固定位置において確実に保持され、好ましくは、その位置からツールによってのみ解除することができ、前記固定要素は、前記クランプ装置を、前記固定位置において前記リムフランジとの後方係合位置に確実にロックすることを特徴とする請求項１２に記載のアタッチメント。
【請求項１４】
前記初期装着部は、軸方向に延びる少なくとも１つの、好ましくはピン状のガイド突起を備え、前記トレッド部分は、前記ガイド突起と相補的に設計された少なくとも１つのガイド開口部を備え、それにより、前記初期装着部がすでに車輪に取り付けられているときに、前記トレッド部分または前記トレッド部分の一部は、前記ガイド突起が前記ガイド開口部に係合し、前記初期装着部および前記車輪に対する前記トレッド部分の軸方向組立体の動きが前記ガイド開口部における前記ガイド突起の係合によって案内されるように、前記初期装着部上に配置することができる、請求項１〜１３のいずれか一項に記載のアタッチメント。
【請求項１５】
前記初期装着部は、それぞれが少なくとも１つのガイド突起を有する、半径方向外向きに延びるいくつかの支柱を備えることを特徴とする請求項１〜１４のいずれか一項に記載のアタッチメント。
【請求項１６】
前記トレッド部分は、固定装置を介して、取り外し可能に、前記初期装着部に固定することができ、前記固定装置は、好ましくは、前記トレッド部分が、前記リムに向かって軸方向に前記初期装着部に固定されたときに移動するように設計されることを特徴とする請求項１５に記載のアタッチメント。
【請求項１７】
前記トレッド部分は、半径方向に延在し、ギャップによって離間したいくつかのスポーク状の支柱を含み、前記ギャップは、少なくとも半径に関して、前記支柱の周方向延長部よりも大きい周方向延長部を有することを特徴とする請求項１〜１６のいずれか一項に記載のアタッチメント。
【請求項１８】
前記初期装着部は、把持装置の確実な後方係合および／または前記把持装置と前記ボルトパターンの領域に配置された前記リムの開口部との摩擦係合を介して前記車輪に固定されるように設計され、前記開口部は、前記リムにおいて、前記リムにホイールボルトまたは控えボルトを受け入れるように設けられた穴から所定距離離間して配置されることを特徴とする請求項１〜１７のいずれか一項に記載のアタッチメント。
【請求項１９】
前記把持装置は、好ましくはボルトパターンの領域で前記開口部の後ろに係合するように設計された拡張可能な部分を備え、および／または前記把持装置は、圧縮可能な部分を備え、前記圧縮可能な部分は、圧縮状態で前記ボルトパターンの領域の開口部を通って案内され、前記開口部を通って案内されたときに、非圧縮状態に拡張するように設計されている請求項１８に記載のアタッチメント。
【請求項２０】
前記初期装着部は、プラグイン要素および拡張要素によって前記車輪に取り付けられるように設計され、前記プラグイン要素は、前記開口部に導入され、第２のステップにおいて、前記拡張要素が、対応する作動機構を介して作動され、前記対応する作動機構は、確実な後方係合または摩擦係合によって前記プラグイン要素を前記開口部にしっかりと固定するために、前記初期装着部に配置され、かつ前記プラグイン要素に挿入されることを特徴とする請求項１〜１９のいずれか一項に記載のアタッチメント。
【請求項２１】
前記初期装着部は、周方向に均一に分布して配置されたいくつかのクランプ装置を有し、好ましくは、前記初期装着部は、半径方向外向きに延びる支柱を有する横方向構造を有し、好ましくは、前記クランプ装置のうち少なくとも１つは、前記初期装着部上で半径方向に移動可能に配置されていることを特徴とする請求項１〜２０のいずれか一項に記載のアタッチメント。
【請求項２２】
前記クランプ装置は、半径方向に互いに距離を置いて配置された異なる位置段階に固定することができ、前記段階は、前記アタッチメント上で異なるリム直径に調整され、好ましくは、少なくとも１つのクランプ装置は、半径方向の位置段階において可動であるが、互いに距離を置いて半径方向に間隔を置いて配置された段階よりも遠くない範囲で半径方向に互いに距離を置いて配置されていることを特徴とする請求項２１に記載のアタッチメント。
【国際調査報告】
2021512015.tif 000021
2021512015.tif 000022
2021512015.tif 000023
2021512015.tif 000024
2021512015.tif 000025